(57)【要約】【課題】分注器によるピペッティング操作のみで被験物質の分析用試料の調整処理を熟練度によらず容易に行うこと。【解決手段】容器本体２内に固定されない状態で吸着材料４を内包し、分注器Ｄによるピペッティング操作のときに吸着材料４の流出を防ぐフィルタ３を備えた構成であるため、分注器Ｄによるピペッティング操作のみで被験物質の分析用試料の調整処理を行うことができる。また、分注器Ｄに装着した状態で分析用試料の一連の調整工程が実施可能となるため、作業者や環境に対する試料の感染リスクを最小化することができる。【選択図】図１
2020063957.tif 000002
【特許請求の範囲】
【請求項１】
分注器の先端に装着して溶液内の被験物質を吸着分離する試料前処理器具であって、
内部に貯留部を有し、一端に前記分注器と装着するための装着口が形成され、他端に前記被験物質を注入及び排出する吸排出口とが形成される容器本体と、
前記貯留部内で移動可能に内包され、被験物質を吸着する吸着材料と、
を備えることを特徴とする試料前処理器具。
【請求項２】
前記容器本体の前記吸排出口に、前記吸着材料の流出を防止しつつ前記被験物質が通過可能なフィルタが設けられていることを特徴とする請求項１記載の試料前処理器具。
【請求項３】
請求項１又は２記載の試料前処理器具を先端に装着した分注器による試料前処理方法であって、
前記分注器のピペッティング操作によりタンパク質を被験物質として含有した溶液の吸排出を所定数繰り返し行って、前記被験物質を前記吸着材料に吸着させるステップを含むことを特徴とする試料前処理方法。
【請求項４】
さらに、前記分注器のピペッティング操作により洗浄液の吸排出を所定数繰り返し行って、前記被験物質が吸着された吸着材料を洗浄するステップを含むことを特徴とする請求項３記載の試料前処理方法。
【請求項５】
さらに、前記分注器のピペッティング操作により、トリプシンを添加した溶媒の吸排出を所定数繰り返し行った後、前記溶媒を吸入した状態でインキュベートして前記被験物質をトリプシン消化させるステップを含むことを特徴とする請求項４記載の試料前処理方法。
【発明の詳細な説明】
【技術分野】
【０００１】
本発明は、タンパク質などの生体物質や種々の化学物質などの被験物質を質量分析するための前処理を行う際に使用する試料前処理器具及び該器具を用いた試料前処理方法に関する。
【背景技術】
【０００２】
生体を構成する基本材料である生体高分子（核酸、タンパク質、多糖）や、これらの構成要素であるヌクレオチドやヌクレオシド、アミノ酸、各種糖などの生体物質研究の一つに、質量分析計（mass spectrometry ：ＭＳ）を基礎とするプロテオミクスの技術・戦略が利用されている。プロテオミクスとは、生命化学の様々な領域で必要不可欠なテクノロジーであり、最も一般的なタンパク質の同定手順は、被験物質であるタンパク質が含有された溶液内でタンパク質を直接酵素（トリプシン）消化し、その消化ペプチドをショットガンＭＳ分析する方法である。
【０００３】
しかしながら、溶液内でのトリプシンによる消化処理はタンパク質の濃度や混入物よって大きく影響を受ける。例えば、１μＭ以下の希薄タンパク質溶液では、トリプシン消化の効率は著しく減じられる。また、このような希薄溶液では消化されたペプチドの吸着ロスの原因となる反応容器の表面積が増大する。
【０００４】
さらに、溶液内の様々な変性剤（例えば、高濃度のギ酸や、尿素、塩酸グアニジンなどのカオトロピック試薬、ＳＤＳ（sodium dodecyl sulfate）などの界面活性剤）の混入もトリプシン消化を阻害することから、消化前に凍結乾燥や透析処理、又は特殊なフィルタや有機溶媒を用いた沈殿法などで除去する必要があるが、何れの操作もタンパク質を大きくロスしてしまうため、多種多様な溶液中の微量タンパク質を、高感度にショットガンＭＳ分析することは現状では難しい状況にある。
【０００５】
上述した問題を解決する方法として、疎水性マイクロビーズ担体を用い、その表面に目的タンパク質を予め吸着・濃縮し、その後ビーズ表面に結合したタンパク質に対してトリプシン消化を行うという方法（オンビース消化法）が考案されている。この方法は、種々のタンパク質の濃縮に適用できる上に、試料に混入される上記変性剤などを洗浄操作によって簡単に除去できる利点も併せ持っている。
【０００６】
しかし、この方法はトリプシン消化の前に、目的タンパク質によってビーズ表面を十分にコーティングする必要があり、多量のタンパク質が必要となり試料が微量である場合に適さない。さらに、トリプシン消化においても、部分的に消化されたペプチド断片しか回収されないという問題点もある。
【０００７】
また、疎水性ビーズに代えて親水性マイクロビーズ担体を利用して、タンパク質をオンビーズ消化する方法も複数考案されている。
【０００８】
しかし、この方法では、被験物質であるタンパク質を濃縮する前に試料溶液の酸性化（ｐＨ２〜３）、又は疎水性化する必要があり、これによりタンパク質の変性による凝集化（アグリゲーション）を引き起こす可能性がある。また、凝集したタンパク質はトリプシン消化に対して抵抗性を示すことから、被験物質が微量であると同定は困難となる。さらに、親水性ビーズを使用する方法の中には、特殊な界面活性剤で溶解した試料にしか適用できないものもあり、方法としての一般性に欠けるものも含まれる。
【０００９】
そこで、本願発明者らは、上述した問題点を解決しようとする研究過程で、下記非特許文献１に開示されるように疎水性マイクロビーズ担体に結合したタンパク質が有機―水混合溶媒を使用することで効率よく消化できることを見出した（Microbead-Based Organic Medeia-Assisted proteolysis strategy：ＢＯＰｓ法）。
このＢＯＰｓ法は、疎水性ビーズ表面を目的タンパク質でコーティングせずに効率よくトリプシン消化を達成できる。さらに、この方法は、上記したような希薄試料又は変性剤混入試料からでもロスなく試料調製することが可能となる。実際、線虫 (C. elegans) の１個体に発現する１０００種以上のタンパク質を一回の分析で同定できる性能をもっている。
【００１０】
また、下記特許文献１に開示される連続孔をもつ疎水性マイクロビーズ担体（モノリス担体）を、ピペットチップ先端部に固定した固定化チップを用いて、ピペッティング操作によりタンパク質やペプチドの固相抽出と濃縮、或いは脱塩などを行う装置も開発されている。
【先行技術文献】
【特許文献】
【００１１】
【特許文献１】特許第４５５８３８２号
【非特許文献】
【００１２】
【非特許文献１】Taoka M, Fujii M, Tsuchiya M, Uekita T, Ichimura T. A sensitive microbread-based organic media assisted method for proteomics sample preparation from dilute and denaturing solutions. ACS Appl Mater Interfaces. 2017, 9(49), 42661-42667
【発明の概要】
【発明が解決しようとする課題】
【００１３】
しかしながら、非特許文献１に開示される方法（ＢＯＰｓ法）は、多数のハンドリング操作（溶媒抽出、遠心操作の繰り返し）が含まれており、人為的負担に加えて習熟度の違いに起因する作業の煩雑さ、試料の損失によって結果のＭＳデータにばらつきが生じてしまう。また、多数のハンドリング操作は、細菌や寄生虫などを標的とする分析技術として作業者に感染リスクを増大させる虞もある。
【００１４】
また、特許文献１に開示される固定化チップは、ピペッティング操作により容易に（抵抗を下げて）溶液を出し入れさせるために、ビーズの内部に大きな空洞（死容積）を作っているため試料の負荷量が低く、加えて通常のピペッティング操作の回数では多量の回収ロスが起こり、濃縮効果が実用的でなかった。また、Ｃ８やＣ１８ディスクそのものをチップの開放部先端に梱包したものもあるが、その抵抗のためにピペッティング操作による溶液の出し入れが非常に困難である。
【００１５】
そこで、本発明は上記問題点に鑑みてなされたものであり、溶液内に含有される極微量の被験物質の分析用試料を調製するにあたり、習熟度に拘わらず容易に、且つ高精度に行うことのできる試料前処理器具及び該器具を用いた試料前処理方法を提供することを目的とする。
【課題を解決するための手段】
【００１６】
上記した目的を達成するため、本発明の第１の態様は、分注器の先端に装着して溶液内の被験物質を吸着分離する試料前処理器具であって、
内部に貯留部を有し、一端に前記分注器と装着するための装着口が形成され、他端に前記被験物質を注入及び排出する吸排出口とが形成される容器本体と、
前記貯留部内で移動可能に内包され、被験物質を吸着する吸着材料と、
を備えることを特徴とする、試料前処理器具である。
【００１７】
本発明の第２の態様は、第１の態様に係る試料前処理器具において、前記容器本体の前記吸排出口に、前記吸着材料の流出を防止しつつ前記被験物質が通過可能なフィルタが設けられていることを特徴とする、試料前処理器具である。
【００１８】
本発明の第３の態様は、第１又は第２の態様に係る試料前処理器具を先端に装着した分注器による試料前処理方法であって、
前記分注器のピペッティング操作によりタンパク質を被験物質として含有した溶液の吸排出を所定数繰り返し行って、前記被験物質を前記吸着材料に吸着させるステップを含むことを特徴とする、試料前処理方法である。
【００１９】
本発明に係る第４の態様は、第３の態様に係る試料前処理方法において、さらに、前記分注器のピペッティング操作により洗浄液の吸排出を所定数繰り返し行って、前記被験物質が吸着された吸着材料を洗浄するステップを含むことを特徴とする、試料前処理方法である。
【００２０】
本発明に係る第５の態様は、第４の態様に係る試料前処理方法において、さらに、前記分注器のピペッティング操作により、トリプシンを添加した溶媒の吸排出を所定数繰り返し行った後、前記溶媒を吸入した状態でインキュベートして前記被験物質をトリプシン消化させるステップを含むことを特徴とする、試料前処理方法である。
【発明の効果】
【００２１】
本発明によれば、分注器の先端に装着可能な容器本体に固定されていない吸着材料が内包されているため、作業者の熟練度に拘わらず、分注器によるピペッティング操作のみでバラつきが少なく極めて再現性の高い分析用試料の作製処理が実施可能となる。
【図面の簡単な説明】
【００２２】
【図１】本発明に係る試料前処理器具の概略構成図である。
【図２】（ａ）〜（ｃ）は同器具を用いて被験物質であるタンパク質の分析用試料を調製する手順を示した図である。
【図３】実施例１において従来の溶液内消化法により調製した分析用試料と、本発明の試料前処理器具を用いた溶液内消化法により調製した分析用試料のＬＣ−ＭＳ分析結果を示すグラフである。
【図４】実施例２において熟練度の異なる作業者が調製した分析用試料のＬＣ−ＭＳ分析結果を示すグラフである。
【発明を実施するための形態】
【００２３】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などは全て本発明の範疇に含まれるものとする。
【００２４】
本願発明者らは、従来の分析用試料の調製時における問題点を鑑みて、高精度なＭＳの分析用試料を容易に、且つ再現性よく調製できる新たな器具及び方法を開発するにあたり、被験物質の損失が可能な限り軽減されるように被験物質を吸着させる材料（吸着材料）を容器内で固定させずに容器内での溶媒との衝突回数を増やすことで被験物質の吸着性が格段に向上することを知得し、本発明の開発に至った。
【００２５】
本発明に係る試料前処理器具１は、主に溶液内の被験物質が数μＭ以下と微量な希薄試料の被験物質を分析用溶液として調製する際の前処理で使用され、対象となる被験物質を含有する溶液を規定量だけ正確に分注可能なマイクロピペットなどの分注器Ｄの先端に装着して溶液内の被験物質をピペッティング操作のみで分析用試料の調製を行うための器具である。
【００２６】
試料前処理器具１で吸着分離される被験物質は、例えばタンパク質、糖、脂肪などの生体物質の他、溶液中に含有される金属イオンなどの化学物質が挙げられる。
以下の説明では、被験物質としてタンパク質を使用し、タンパク質を含有する試料溶液に各種処理（タンパク質の濃縮、洗浄、消化処理）を施して質量分析法で使用可能な分析用試料を調製する実施形態を例示する。
【００２７】
まず、本発明に係る試料前処理器具１の構成について説明する。
図１に示すように、本実施形態の試料前処理器具１は、容器本体２と、フィルタ３と、吸着材料４とで構成され、分注器Ｄの先端に取り付けてピペットチップのように使用される。
【００２８】
容器本体２は、例えばポリプロピレンなどの汎用プラスチックやステンレス鋼などの試料が吸着しにくく、また有機溶剤（例えばギ酸、アセトニトリル、アセトン）による洗浄処理などで変性しない材質で形成される。
【００２９】
容器本体２は、内部に液体を貯留する空洞（貯留部２ａ）を有し、先端には被験物質が含有された試料溶液や各種処理で使用する溶液を吸入及び排出するための吸排出口２ｂが、終端には分注器Ｄの先端に嵌合するための装着口２ｃが形成されている。本実施形態の容器本体２は、装着口２ｃから吸排出口２ｂに向かって徐々に貯留部２ａの内径寸法が先細るように延びる円錐筒形状を成している。
【００３０】
また、吸排出口２ｂや装着口２ｃには、分注器Ｄから容器本体２を取り外して質量分析計にセットするまでの間やインキュベーターでインキュベートする際に貯留する溶液がこぼれたり蒸発したりするのを防止するための蓋２ｄを取り付けることもできる。図１では装着口２ｃを閉塞するための蓋２ｄが容器本体２に一体成形されている。
【００３１】
なお、容器本体２の形状は、少なくとも貯留部２ａと、吸排出口２ｂと、装着口２ｃとを備えていればその形状は特に限定されず、被験物質が含有する溶液を収容する容器の形状に合せて成形すればよい。
【００３２】
フィルタ３は、被験物質の吸着が極めて少なく、有機溶剤（例えばギ酸、アセトニトリル、アセトン）によって変性しない親水化処理された膜状フィルタで構成される。フィルタ３の具体例としては、例えばポリテトラフルオロエチレン（PolyTetra FluoroEthylene：ＰＴＦＥ）やポリフッ化ビニリデン（PolyVinylidene DiFluoride : ＰＶＤＦ）などのフッ素系樹脂からなる膜状フィルタが好適である。
【００３３】
フィルタ３は、容器本体２内に内包した吸着材料４の流出を防止しつつ、被験物質が含有される試料溶液や有機溶媒などを数秒以内で吸入及び排出可能な細孔サイズ、膜厚及び空隙率となるものが適している。よって、フィルタ３を選択する場合は、使用する吸着材料４によって自ずと細孔サイズ、膜厚及び空隙率が規定されることになる。例えば吸着材料４の平均外寸（吸着材料４が粒子状の場合は平均粒子径）を１とすると、フィルタ３の孔寸法は、吸着材料４のサイズよりも概ね１／３〜１／５程度小さいものを使用すれば、吸着材料４がフィルタ３の孔を通過することがなく、また溶液の吸排出にも支障をきたさない。
【００３４】
フィルタ３の仕様例としては、吸着材料４として平均粒径が５０μｍのマイクロビーズを使用し、容器本体２の吸排出口２ｂの内径が０. ８ｍｍの場合、細孔サイズ１０μｍ、膜厚８５μｍ、空隙率８０％のものが使用できる。
【００３５】
フィルタ３は、容器本体２の吸排出口２ｂを覆うように設けられていれば特に固定方法は限定されないが、例えば容器本体２の内側からプラスチック製のＯ−リングによる圧着で固定することができる。
【００３６】
なお、吸着材料４と吸排出口２ｂのサイズ比や吸着材料４の形状によって、吸排出口２ｂから吸着材料４が流出しない構成の場合は、フィルタ３を装着しないで使用することも可能である。
【００３７】
吸着材料４は、被験物質が吸着可能な形態を有し、平均粒径が２０〜１００μｍ程度の吸着材粒子で構成され、容器本体２の内壁やフィルタ３の膜面などに固定されていない状態で貯留部２ａ内に収容される。吸着材料４としては、例えば幅広ｐＨ領域での使用に安定な合成ポリマー系の逆相ポリマービーズなどの疎水性マイクロビーズや、Ｃ８やＣ１８などを結合させたシリカやガラスなどのビーズ担体を使用することができる。
【００３８】
本実施形態において、吸着材料４は疎水性マイクロビーズを水性分散媒（水や有機溶媒）に懸濁したものを使用しているが、容器本体２の貯留部２ａに内包されていればよいため、吸着材料４の粒体を直接貯留部２ａに収容するなど、その使用形態は特に限定されない。
【００３９】
容器本体２に内包する吸着材料４の量は、溶液中のタンパク含量に依存する。例えば、合成ポリマービーズであるポリスチレン系の逆相ポリマー（ＰＯＲＯＳ  Ｒ２：アプライドバイオシステムズ社製) を使用した場合は、ビーズ１μｌあたり、タンパク質の結合容量が１〜１５μｇ見込まれるため、通常のタンパク溶液では１μｌで十分である。
【００４０】
なお、本実施形態では吸着材料４の形状を粒形としているが、吸着効率を考慮して突起部を設けたり、凹凸を設けたりするなど形状を適宜変更することもできる。また、サイズについても、吸排出口２ｂから流出しない程度のサイズとすることもできる。
【００４１】
次に、上述した試料前処理器具１を用いた分析用試料の調製方法について図２を参照しながら説明する。
なお、本実施形態では、被験物質がタンパク質であるため、一般的に知られているタンパク質の試料調製工程（濃縮処理→洗浄処理→消化処理）と同様の工程を経るが、本発明の試料前処理器具１を用いた場合、前処理〜消化処理の前段階までのハンドリング操作が全て分注器Ｄのピペッティング操作のみで行える点が、従来の方法と大きく異なる。
【００４２】
まず、前処理として、分注器Ｄの先端に試料前処理器具１を取り付け、ピペッティング操作による懸濁操作（２〜３回）により、高濃度の有機溶媒で洗浄した後に水系緩衝液で平衡化する。
【００４３】
＜濃縮処理＞
被験物質の濃縮処理は、マイクロチューブに収容された試料溶液をピペッティング操作により懸濁操作を所定回数行う。この処理により、貯留部２ａ内への試料溶液の流入／流出が繰り返し行われることで、被験物質が吸着材料４の表面に吸着して濃縮される。濃縮処理におけるピペッティング回数は、試料溶液の液量に依存するが、概ね２０μｌの試料では１５〜２０回、１００μｌでは３０〜４０回程度行う。
【００４４】
また、濃縮処理という観点では、試料溶液が収容されたマイクロチューブに吸着材料４を加え、ミキサーなどの攪拌機を用いて被験物質を吸着させた吸着材料４を容器本体２の貯留部２ａに収容することもできる。このようにすると、試料溶液を複数試験する場合に、ピペッティング操作による濃縮処理よりも短時間で行うことができる。
なお、濃縮処理後の吸着材料４を容器本体２に収容する場合は、例えば吸着材料４を装着口２ｃから入れた後に試料前処理器具１を分注器Ｄの先端に装着すればよい。
【００４５】
＜洗浄処理＞
被験物質の洗浄処理は、洗浄液としてマイクロチューブに収容された水系緩衝液を用いて数回（２、３回程度）ピペッティング操作する処理が基本となり、貯留部２ａ内への洗浄液の流入／流出が繰り返し行われることで洗浄される。る。また、吸着材料４に吸着されてしまう混入物（例えば界面活性剤）が試料溶液内に混和している場合は、タンパク質とともにこれらの混入物も吸着材料４に吸着してＭＳ分析を妨害する虞があるため、洗浄液としてアセトンや酢酸エチルなどの有機溶媒を用いたピペッティング操作（２、３回程度）による洗浄を、水系緩衝液を用いる洗浄操作に前に行う。これにより、混入物の除去が可能となる。
【００４６】
＜消化処理＞
被験物質の消化処理において、トリプシン消化の溶媒として少量の有機溶媒―水系緩衝液を用いる。有機溶媒と緩衝液の組み合わせは種々考え得るが、例えばアセトニトリルと１００ｍＭ（最終濃度）とＴｒｉｓ−ＨＣｌ緩衝液（ｐＨ８）との組み合わせの場合、概ね６０：４０〜８０：２０（Ｖ／Ｖ）間で調整するのが好ましい。
【００４７】
トリプシン消化は、この混合溶媒にトリプシンを直接添加した溶液を数回（２、３回程度）ピペッティング操作することで開始できる。その後、トリプシン溶液を吸引した試料前処理器具１の吸排出口２ｂ及び装着口２ｃを塞ぎ、３７℃で所定時間インキュベートし消化する。なお、上記混合溶媒を用いた場合、先に吸着材料４に結合していた目的タンパク質が該材料４から解離するので、ピペッティング操作によって溶液を試料前処理器具１から小型のマイクロチューブに移し、その後同チューブ内で消化反応を進めることも可能である。また、トリプシンはその際にチューブに添加してもよい。
【００４８】
このように、濃縮処理、洗浄処理及び消化処理が終了した試料溶液は、ピペッティング操作によって小型のチューブに押し出す。回収した試料溶液は、その適当量を酸性水溶液で希釈又は溶媒乾燥した後に酸性水溶液に再溶解することで、そのまま分析用試料として利用することができる。
【００４９】
以上のように、上述した試料前処理器具１は、固定されていない吸着材料４を内包し、分注器Ｄによるピペッティング操作のときに吸着材料４の流出を防ぐフィルタ３を備えているため、分注器Ｄによるピペッティング操作のみで被験物質の分析用試料の調整処理を熟練度によらず容易に行うことができる。例えば、被験物質がタンパク質の場合、試料溶液を移し替ることなく濃縮処理、洗浄処理及び消化処理が行え、精密な試料調製が可能である。
【００５０】
また、試料前処理器具１は、吸着材料４が容器本体２内で自由に移動可能な状態で内包されているため、分散反応を効果的に利用することで、吸着材料４としてビーズを固定した市販品ピペットチップを用いる方法よりも濃縮効率が高く、容易に高精度な試料調製が可能となる。
【００５１】
さらに、容器本体２を分注器Ｄに装着した状態で試料調整に関する一連の工程が行えるため、作業者や環境に対する試料の感染リスクを最小化できるとともに、自動化にも容易に対応することができる。よって、上述した形態では、分注器Ｄとして作業者が手動操作を行うマイクロピペットを用いた形態で説明したが、その他の実施形態として、分注器Ｄを特定の制御信号又は特定の操作により自動で液体の吸引・排出を行う電動式ピペット又はシリンジとした構成を採用してもよい。
【実施例】
【００５２】
次に、本発明に係る試料前処理器具１を用いた実施例について説明する。
なお、下記に示す実施例は本発明を限定するものではなく、前・後記の趣旨に照らし合わせて本発明の構成及び特徴要件を逸脱しない範囲で適宜設計変更することは、何れも本発明の技術的範囲に含まれるものとする。
【００５３】
［実施例１］
実施例１は、本発明の試料前処理器具１を用いて溶液内消化法により調製した分析用試料と、従来の溶液内消化法により調整した分析用試料における分析感度を比較した。
【００５４】
本発明の試料前処理器具１を用いた溶液内消化法において、試料前処理器具１の構成は、下記の通りである。
・容器本体２：ピペットチップ（ＱＳＰピペットチップ１−２００μｌ  クリアー：ＴｈｅｒｍｏＦｉｓｈｅｒＳｃｉｅｎｔｉｆｉｃ社製) 
・フィルタ３：ＰＴＦＥメンブレン（オムニポアメンブレンフィルター：細孔サイズ１０. ０μｍ，Ｍｅｒｃｋ社製）
・吸着材料４：Ｒ２ビーズ (ＰＯＲＯＳ  Ｒ２マイクロビーズ：平均粒子径５０μｍ，ＰｅｒＳｅｐｔｉｖｅ  Ｂｉｏｓｙｓｔｅｍｓ社製) 
【００５５】
上記ピペットチップの吸排出口２ｂに上記ＰＴＦＥメンブレンを固着させ、懸濁したＲ２ビーズを収容して本実施例で使用する試料前処理器具１を作製した。
【００５６】
前処理として、１００μｌの７５％アセトニトリル（ＬＣグレード，Ｍｉｌｌｉｐｏｒｅ社製）／０．１％トリフルオロ酢酸（ＴＦＡ: ≧９９．０％，ｎａｃａｌａｉ  ｔｅｓｑｕｅ社製）で洗浄後、１００μｌのトリス塩酸緩衝液（１００ｍＭ  Ｔｒｉｓ−ＨＣｌ（ｐＨ８）を用いて前記器具１を平衡化した。
次に、濃縮処理として、平衡化した前記器具１を用い、１００μｌのトリス−塩酸緩衝液（１００ｍＭ  Ｔｒｉｓ−ＨＣｌ（ｐＨ８）に０. １５μＭのウシ血清アルブミン（ＢＳＡ（Bovine Serum Albumin），富士フイルム和光純薬株式会社製）を含有させた溶液を４０回ピペッティング操作し、吸着材料４にＢＳＡを吸着させ濃縮した。
次に、洗浄処理として、１００μｌのトリス−塩酸緩衝液（１００ｍＭ  Ｔｒｉｓ−ＨＣｌ（ｐＨ８），富士フイルム和光純薬株式会社製）を洗浄液として用いて３回のピペッティング操作により吸着材料４を洗浄した。
その後、６０％のアセトニトリル（ＬＣグレード，Ｍｉｌｌｉｐｏｒｅ社製）と４０％のトリス−塩酸緩衝液（１００ｍＭ  Ｔｒｉｓ−ＨＣｌ（ｐＨ８）を最終濃度とした混合溶媒２０μｌに０．５μｇのトリプシン（ＭＳグレード：Ｐｒｏｍｅｇａ社製）を含有させた溶液を前記器具１内に吸引し、３７℃でオーバーナイトインキュベートしてトリプシン消化による分析用試料の調製をした。
【００５７】
一方、従来の溶液内消化として、０．１５μＭのＢＳＡ溶液（１００μｌ, １００ｍＭ  Ｔｒｉｓ−ＨＣｌ，ｐＨ８）に０．５μｇのトリプシンを直接加えて分析前試料の調製を行った。
【００５８】
それぞれの分析用試料は、液体クロマトグラフィー／質量分析（ＬＣ−ＭＳ）システム（ＬＣ−ＭＳｎａｎｏＡＣＱＵＩＴＹ  ＵＰＬＣ−Ｘｅｖｏ  Ｇ２−Ｓ  ＱＴｏｆシステム：Ｗａｔｅｒｓ社製）で質量分析した。
【００５９】
図３は、従来の溶液内消化法により調製した分析用試料と、本発明の試料前処理器具１を用いた溶液内消化法により調製した分析用試料をそれぞれＬＣ−ＭＳ分析（消化物は５ｎｇ相当分）した結果を示したグラフである。なお、各グラフ中の縦軸はピーク強度を示し、横軸は保持時間を示す。
【００６０】
図３に示すように、従来の溶液内消化法は、本発明の試料前処理器具１を用いた溶液内消化法と比べて消化効率が著しく減じさられることが明らかとなった。これは、１μＭ以下の希薄試料ではトリプシン消化がうまく進行しないという過去の報告と一致した。しかしながら、本発明の試料前処理器具１を用いた溶液内消化法では、同濃度のＢＳＡに由来する多数の消化ペプチドを高いシグナル強度で検出した。この結果から、本発明の試料前処理器具１は、希薄タンパク溶液から高精度な分析前試料を正確に調製可能であることが確認された。
【００６１】
［実施例２］
実施例２は、作業者によるデータのばらつきの程度を検討するため、試料調製の習熟度が異なる５人の作業者（作業者１〜５）に試料調製処理を実施させた。
【００６２】
使用した試料前処理器具１は、実験例１で作製した器具と同様であり、実施例１と同様に、前処理、濃縮処理、洗浄処理、消化処理を実施した。なお、実施例２における濃縮処理では、０. ７５μＭのウシ血清アルブミン溶液（ＢＳＡ溶液、２０μｌ, １００ｍＭ  Ｔｒｉｓ−ＨＣｌ（ｐＨ８），富士フイルム和光純薬株式会社製）を１５回ピペッティングする内容に変更した。
【００６３】
各作業者が調製した分析用試料は、実施例１と同様の液体クロマトグラフィー／質量分析（ＬＣ−ＭＳ）システムを用いて質量分析した。
【００６４】
図４は、熟練度の異なる作業者が調製した分析用試料をそれぞれＬＣ−ＭＳ分析（消化物は５ｎｇ相当分）した結果を示したグラフである。なお、各グラフ中の縦軸はピーク強度を示し、横軸は保持時間を示す。
【００６５】
図４に示すように、各作業者のＭＳデータを比較したところ、全てのＬＣ−ＭＳクロマトグラムはほぼ同一の消化パターンを示すことが明らかとなった。これにより、本発明の試料前処理器具１を使用することで、習熟度の有無に拘わらず同一精度の分析用試料を調製できることが確認された。  
【００６６】
以上、実施例１、２の結果を考察すると、本発明の試料前処理器具１を用いて分析用試料を調製すれば、バラつきが少なく極めて再現性の高い試料作製処理が実施可能であることが明らかとなった。こうしたローハンドリング操作によるＭＳデータの取得は、極めて実用的であることから、生命科学の様々な研究に幅広く適用できるものと期待される。また本発明は、作業者の実験リスクを低減させ、今後の操作自動化を達成するための基盤技術としても極めて有用であると考えられる。
【符号の説明】
【００６７】
１…試料前処理器具
２…容器本体（２ａ…貯留部、２ｂ…吸排出口、２ｃ…装着口、２ｄ…蓋）
３…フィルタ
４…吸着材料
Ｄ…分注器
【図１】
2020063957.tif 000003
【図２】
2020063957.tif 000004
【図３】
2020063957.tif 000005
【図４】
2020063957.tif 000006
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
分注器の先端に装着して溶液内の被験物質を吸着分離する試料前処理器具であって、
一端に前記分注器を装着するための装着口が形成され、他端に前記被験物質を注入及び排出する吸排出口が形成され、前記装着口と前記吸排出口の間の内部が前記吸排出口から前記被験物質の流入と流出が繰り返されることにより被験物質の吸着が行なわれる貯留部とされた容器本体と、
前記吸排出口から流出しないように、かつ前記貯留部内で移動可能に内包され、前記貯留部内に流入した被験物質を吸着する吸着材料と、
を備えることを特徴とする試料前処理器具。
【請求項２】
前記容器本体の前記吸排出口に、前記吸着材料の流出を防止しつつ前記被験物質が通過可能なフィルタが設けられていることを特徴とする請求項１記載の試料前処理器具。
【請求項３】
請求項１又は２記載の試料前処理器具を先端に装着した分注器による試料前処理方法であって、
前記分注器のピペッティング操作によりタンパク質を被験物質として含有した溶液の吸排出を、前記吸排出口を介して所定数繰り返し行って、前記貯留部内で前記被験物質を前記吸着材料に吸着させるステップを含むことを特徴とする試料前処理方法。
【請求項４】
さらに、前記分注器のピペッティング操作により洗浄液の吸排出を所定数繰り返し行って、前記被験物質が吸着された吸着材料を洗浄するステップを含むことを特徴とする請求項３記載の試料前処理方法。
【請求項５】
さらに、前記分注器のピペッティング操作により、トリプシンを添加した溶媒の吸排出を所定数繰り返し行った後、前記溶媒を吸入した状態でインキュベートして前記被験物質をトリプシン消化させるステップを含むことを特徴とする請求項４記載の試料前処理方法。
【手続補正２】
【補正対象書類名】明細書
【補正対象項目名】００１６
【補正方法】変更
【補正の内容】
【００１６】
上記した目的を達成するため、本発明の第１の態様は、分注器の先端に装着して溶液内の被験物質を吸着分離する試料前処理器具であって、
一端に前記分注器を装着するための装着口が形成され、他端に前記被験物質を注入及び排出する吸排出口が形成され、前記装着口と前記吸排出口の間の内部が前記吸排出口から前記被験物質の流入と流出が繰り返されることにより被験物質の吸着が行なわれる貯留部とされた容器本体と、
前記吸排出口から流出しないように、かつ前記貯留部内で移動可能に内包され、前記貯留部内に流入した被験物質を吸着する吸着材料と、
を備えることを特徴とする、試料前処理器具である。
【手続補正３】
【補正対象書類名】明細書
【補正対象項目名】００１８
【補正方法】変更
【補正の内容】
【００１８】
本発明の第３の態様は、第１又は第２の態様に係る試料前処理器具を先端に装着した分注器による試料前処理方法であって、
前記分注器のピペッティング操作によりタンパク質を被験物質として含有した溶液の吸排出を、前記吸排出口を介して所定数繰り返し行って、前記貯留部内で前記被験物質を前記吸着材料に吸着させるステップを含むことを特徴とする、試料前処理方法である。